(57)【要約】【課題】本発明は、多機能データケーブルを開示している。【解決手段】本発明が開示する多機能データケーブルは、細長状の外装体と、前記外装体内に位置するケーブル本体とを含む。前記外装体はファスナを含み、前記ファスナの務歯は前記外装体の周囲に配置される。前記ファスナを引き上げると、前記細長状の外装体は袋状を形成する。【選択図】図１
2018114261.tif 000002
【特許請求の範囲】
【請求項１】
多機能データケーブルであって、細長状の外装体と、前記外装体内に位置するケーブル本体とを含み、
前記外装体がファスナを含み、前記ファスナの務歯が前記外装体の周囲に配置され、前記ファスナを引き上げると、前記細長状の外装体が袋状を形成することを特徴とするデータケーブル。
【請求項２】
前記ケーブル本体の外表面に保護層を有し、前記保護層は前記ケーブル本体が折れないように保護することを特徴とする、請求項１に記載の多機能データケーブル。
【請求項３】
前記ケーブル本体が第１端および第２端を含み、
前記外装体が第１端部および第２端部を含み、前記第１端部が第１開口を含み、前記第１開口が前記ケーブル本体の前記第１端を露出させ、
前記第２端部が第２開口を含み、前記第２開口が前記ケーブル本体の前記第２端を露出させることを特徴とする、請求項１に記載の多機能データケーブル。
【請求項４】
前記外装体が布地、プラスチックまたは皮革から製造されることを特徴とする、請求項１に記載の多機能データケーブル。
【請求項５】
前記外装体にさらに手提げ部材が設けられることを特徴とする、請求項１に記載の多機能データケーブル。
【請求項６】
前記手提げ部材が前記ファスナのスライダに設けられることを特徴とする、請求項１に記載の多機能データケーブル。
【発明の詳細な説明】
【技術分野】
【０００１】
本発明はデータケーブル分野に属し、具体的に多機能データケーブルに関する。
【背景技術】
【０００２】
現在、大部分のスマート機器は、コンピュータとの接続または充電のいずれにも、接続するデータケーブルが必要である。スマート機器の使用が次第に多くなっているため、データケーブルも次第に多くなっており、直ちに分類して収納しない場合、複数のデータケーブルが容易に絡みつく。データケーブルが容易に折れて、使用が煩わしいだけでなく、オフィス環境の整理に不利であり、仕事が不便になる。既存技術は、上記の問題を解決するため、巻付装置を導入している。データケーブルが絡みつくのを効果的に防止することができるが、移動の負担が増し、さらに巻付装置が容易にスマート機器に衝突し、潜在的な危険が存在する。
【０００３】
この他、現在、スマート機器の多くは保護カバーを１つ加えて筐体を保護しているが、これらのスマート機器の周辺商品により、移動の負担が増す。
【０００４】
そのため、データケーブルの絡みつきを解決し、さらに保護カバーを提供することができる多機能データケーブルのニーズが存在する。
【発明の概要】
【発明が解決しようとする課題】
【０００５】
本発明の目的は、上記問題を解決するため、多機能データケーブルを提供することである。
【課題を解決するための手段】
【０００６】
本発明の前記多機能データケーブルは、細長状の外装体と、前記外装体内に位置するケーブル本体とを含む。前記外装体はファスナを含み、前記ファスナの務歯は前記外装体の周囲に配置される。前記ファスナを引き上げると、前記細長状の外装体は袋状を形成する。
【０００７】
本発明の前記多機能データケーブルにおいて、前記ケーブル本体の外表面に保護層を有し、前記保護層は前記ケーブル本体が折れないように保護する。
【０００８】
本発明の前記多機能データケーブルにおいて、前記ケーブル本体は第１端および第２端を含む。前記外装体は第１端部および第２端部を含み、前記第１端部は第１開口を含み、前記第１開口は前記ケーブル本体の前記第１端を露出させる。前記第２端部は第２開口を含み、前記第２開口は前記ケーブル本体の前記第２端を露出させる。
【０００９】
本発明の前記多機能データケーブルにおいて、前記外装体は布地、プラスチックまたは皮革から製造される。
【００１０】
本発明の前記多機能データケーブルにおいて、前記外装体にさらに手提げ部材が設けられる。
【００１１】
本発明の前記多機能データケーブルにおいて、前記手提げ部材は前記ファスナのスライダに設けられる。
【発明の効果】
【００１２】
本発明の有益な効果として、従来のデータケーブルと比較すると、本発明の前記データケーブルは細長状の外装を含み、外装の前記ファスナにより、前記データケーブルからスマート機器の保護袋を形成することができる。データケーブルの絡みつく問題を解決しただけでなく、同時にスマート機器を保護する問題も解決した。
【図面の簡単な説明】
【００１３】
図は本発明をさらに理解するために用いられ、さらに明細書の一部を構成する。以下の発明を実施するための形態と共に本発明の説明に用いられるが、本発明を制限するものではない。
【００１４】
【図１】図１は、本発明の実施例１における前記データケーブルの全体概要図である。
【図２】図２は、本発明の実施例１の前記データケーブルが袋状を形成した立体概要図である。
【図３】図３は、図１におけるＡ−Ａ線の断面概要図である。
【発明を実施するための形態】
【００１５】
以下に、本発明の実施例の図を組み合わせて、本発明の実施例の技術案について、明確に、完全に記載する。記載する実施例は本発明の実施例の一部に過ぎず、実施例の全てではないことは明らかである。本発明の実施例に基づいて、当業者が創造的労働を行わない前提で得られたその他の全ての実施例は、いずれも本発明の保護範囲に属する。
【００１６】
図１〜３を参照されたい。本発明の前記多機能データケーブルは、外装体１００と、前記外装体１００内に位置するケーブル本体２００とを含む。
【００１７】
前記外装体１００は布地、プラスチックまたは皮革から製造される。前記外装体１００は細長状を呈し、前記外装体１００はファスナ１０１を含む。前記ファスナ１０１の務歯は、前記外装体１００の周囲に配置される。前記ファスナ１０１を引き上げると、外装体１００は袋状を形成し（図２に示す）、スマート機器（例えば携帯電話）の保護袋とすることができる。前記細長状の外装体１００の第１端部は第１開口１０２を含み、前記第１開口１０２は前記ケーブル本体２００の第１端２０２を露出させる。前記細長状の外装体１００の第２端部は第２開口１０３を含み、前記第２開口１０３は前記ケーブル本体２００の第２端２０３を露出させる。前記外装体１００にさらに手提げ部材１０４が設けられ、前記外装体１００が袋状を形成するとき、手提げ部材として用いる。前記手提げ部材は、前記ファスナのスライダ１０５に設けることができる。
【００１８】
図３に示すように、前記ケーブル本体２００の外表面に保護層２０１を有し、前記保護層２０１は前記ケーブル本体２００が折れないように保護する。前記ケーブル本体２００は第１端２０２および第２端２０３を含み、前記第１端２０２はスマート機器（例えば携帯電話）と接続され、前記第２端２０３はコンピュータまたは充電器と接続される。前記第１端２０２は、前記外装体１００の前記第１開口１０２から露出し、前記第２端２０３は、前記外装体１００の前記第２開口１０３から露出する。
【００１９】
本発明の技術的効果として、従来のデータケーブルと比較すると、本発明の前記データケーブルは細長状の外装を含み、外装の前記ファスナにより、前記データケーブルからスマート機器の保護袋を形成することができる。データケーブルの絡みつく問題を解決しただけでなく、同時にスマート機器を保護する問題も解決した。
【００２０】
本発明が上記の模範的な実施例の細部に限定されず、さらに本発明の主旨または基本的な特徴を逸脱しない状況で、その他の具体的形態により、本発明を実現することができることは、当業者にとって明らかである。したがって、すべての点で、実施例は模範的なものであり、制限するものではないと見なすべきであり、本発明の範囲は、上記の説明に限定されるのではなく、添付の特許請求の範囲に基づく。したがって、特許請求の範囲と同等の重要条件の概念および範囲内における変化の全てが、本発明内に包含されることを旨とする。特許請求の範囲におけるいかなる符号も、係る特許請求の範囲に制限されると見なすべきではない。
【００２１】
この他、本明細書は実施方式に基づいて記載したが、各実施方式は１つの独立した技術案のみを含むのではないことを理解すべきである。明細書のこの種の叙述方式は、明確にするために過ぎず、当業者は明細書を１つの総体とするべきである。各実施例の技術案を適当に組み合わせて、当業者が理解することができるその他の実施方式を形成することもできる。
【図１】
2018114261.tif 000003
【図２】
2018114261.tif 000004
【図３】
2018114261.tif 000005